(57)【要約】【課題】本発明は皿の基本配置を変更することが無く、食器類の形状が異なっても安定して食器類を固定すると共に洗浄性能にバラツキを生じにくい、食器収納の作業性の良い食器収納カゴを備えた食器洗い機を提供することにある。【解決手段】線材を組んで構成された食器収納カゴの食器収納部分の最下、食器接触部分の線材部に同方向の傾斜を付け、食器収納時に食器下端部が傾斜線材部をすべりながらセットされるようにした。【選択図】図１
2004216004.tif 000002
【特許請求の範囲】
【請求項１】
食器収納槽を有し、前記食器収納槽を覆い外郭を構成した本体と、食器洗浄用の加圧水供給手段と、水を温水へ変え、また、前記食器収納槽内の温度を上昇させるためのヒータと、前記食器収納槽内の洗浄水を機外へ排出する排水ポンプを有し、食器の洗浄行程、水すすぎ行程、温水すすぎ行程及び、乾燥の行程を実行する制御装置を備えた食器洗い機において、線材を組んで構成された食器収納カゴの食器収納部分の最下、食器接触部分の線材部に同方向の傾斜を付け、食器収納時に食器下端部が傾斜線材部をすべりながらセットされる、食器整列機能を有する食器収納カゴを配置したことを特徴とする食器洗い機。
【請求項２】
食器収納槽を有し、前記食器収納槽を覆い外郭を構成した本体と、食器洗浄用の加圧水供給手段と、水を温水へ変え、また、前記食器収納槽内の温度を上昇させるためのヒータと、前記食器収納槽内の洗浄水を機外へ排出する排水ポンプを有し、食器の洗浄行程、水すすぎ行程、温水すすぎ行程及び、乾燥の行程を実行する制御装置を備えた食器洗い機において、線材を組んで構成された食器収納カゴの一部に、同じ幅の収納部分に加え、線材ひとつおきに段付きの線材を設け、段付き部分の収納幅を、前記幅の２倍にし、段付き部分で略箱型形状を形成したことを特徴とする食器洗い機。
【請求項３】
請求項１において、食器カゴを構成する底部の線材に並行した２本の間隔を設けた線材を配置し、その内側に相対向する同一形状の線材の組を２種類交互に等間隔に配置し、その先頭の線材の組数は奇数とし、次の線材の組数は偶数とし、偶数組の線材は長さ方向（水平方向）を奇数組の線材より長くし、高さ方向（前後）を奇数組の線材、長さ方向を偶数組の線材により略箱型形状を収納できる空間を確保した食器カゴを備えたことを特徴とする食器洗浄機。
【請求項４】
請求項２において、
食器カゴを構成する底部の並行した２本の間隔を設けた線材の内側に固定した相対向する等間隔の線材に、底部の並行した２本の線材の外側の位置で間隔のほぼ中央部または大皿の厚さ強にした位置から等間隔に固定した線材に同一方向に別部材で各々両端を固定した食器カゴを備えたことを特徴とする食器洗い機。
【請求項５】
請求項３において、
組合わせの食器カゴを複数種類同一方向面内に備えた食器カゴ有することを特徴とする食器洗い機。
【請求項６】
請求項３において、
２種類の線材の長さを同一とした食器カゴを備えたことを特徴とする食器洗い機。
【請求項７】
請求項１において、
底部の傾斜線材を別線材もしくは、食器のささえ線材と一体に設けた食器格納カゴを配置したことを特徴とする食器洗い機。
【請求項８】
請求項２において、
線材の最上端の曲げ部は、一間隔ごとに高低をつけ、曲げ角度を同じにした食器収納カゴを備えたことを特徴とする食器洗い機。
【発明の詳細な説明】
【０００１】
【発明の属する技術分野】
本発明は、洋皿及びグラタン皿、弁当箱等、形状が全く異なる食器を容易に配置固定できるようにすると同時に、大皿、中皿、小皿等の食器整列機能を設けた食器収納カゴを備えた食器洗い機に関するものである。
【０００２】
【従来の技術】
従来の製品により、本発明の必要性について図２、図３、図４を引用して説明する。食器洗い機は、洗浄する食器類を載置する食器収納カゴを収容する洗浄槽と、この洗浄糟内に洗浄水を噴出する洗浄水噴射系と上縁部が洗浄槽の開口の上縁部に回動可能に支持されて開口の上半分を塞ぎ、上方向に跳ね上げるように回動することにより洗浄槽の開口部の上半部分を開放する上ドアと、下縁部が洗浄槽の開口の下縁部に回動可能に支持されて開口の下半部分を塞ぎ、手前方向に倒れるように回動することにより洗浄槽の開口の下半部分を開閉する下ドアと、ドアを閉合状態にロックするドアロック機構を備えている。食器収納カゴは、食器類を間に挟むように載置して該食器類の姿勢を整える食器類載置空間を形成する整姿枠を備えている。整姿枠は、載置した食器類の姿勢を整えて安定に支持するためには、載置した食器類の大きさに適合した食器類の空間を形成している（例えば、特許文献１、２参照）。
【０００３】
【特許文献１】
特開２００１−２０４６７８号公報
【特許文献２】
特開２００１−２３１７３７号公報
【０００４】
【発明が解決しようとする課題】
しかしながら、食器収納カゴを入れる空間は図８に示すように非常に狭く、食器収納上カゴ３１と食器収納下カゴ２９の２つの食器収納カゴで構成されている。通常大物の食器類は、食器収納下カゴ２９に積載され、小物の食器は、食器収納上カゴ３１に積載される。食器カゴはステンレスの直径３ｍｍ〜４ｍｍ程度の線材を組合わせて溶接、固定されて構成されている。食器収納カゴとして図２に従来例の食器収納下カゴ２９の斜視図を示す。図３に、食器収納上カゴ３１の斜視図を示す。食器収納下カゴ２９は、狭い空間の中にたくさんの食器を入れることが必要であるため従来例では奥行き側に伸びた並行した２本の間隔を設けた線材１０９及び線材１１０の内側に等間隔で線材１０５及び線材１０６が上にハの字形に溶接固定して構成されている。本構成では線材１０５及び線材１０６により囲まれた空間は８個所となり、この部分に洋皿を８枚収納できるようにしている。他の空間部分には嘴立てや味噌汁のお椀を置く空間となっており各々の区割りが小さく、このため、グラタン皿や弁当箱のような高さ、幅及び長さがあるような食器類を収納するには非常に使い勝手が悪かった。
【０００５】
また、洋皿を収納する部分の空間はいろいろな高さの食器に対応するため間隔が大き目となっている。図４に洋皿１０７がセットされた状態を示す。これをみると線材１０５の間隔が皿の先端幅（５ｍｍ〜６ｍｍ程度）より広いため、下面でのガタツキが多く、食器を食器収納カゴにセットし、洗浄槽内に格納する際、洋皿等が倒れやすい。そして、洋皿の方向が安定しないため、皿が重なる部分を生じる。このため、食器が重なっている部分の洗浄が悪くなるという問題があった。
【０００６】
本発明の目的は、食器の基本配置を変更することが無く、食器類の形状が異なっていても安定して食器類を固定すると共に食器どうしの重なりのない、洗浄率にバラツキを生じにくい作業性の良い食器収納カゴを備えた食器洗い機を提供することにある。
【０００７】
【課題を解決するための手段】
課題を解決するための手段として、連続して同一形状の等間隔の線材を１個間隔で長さ方向（水平方向）に伸ばすことにより長さ方向の寸法、１個間隔にすることにより高さ方向の寸法を稼ぎ、箱型形状の空間を確保した。また、１個の間隔により皿の配置固定が不安定になるため洋皿の高さ方向に多少バラツキがあっても安定する様に別部材で溶接固定又は同一構成部材を折り曲げることにより下部を狭くして皿の向きを安定にする構造とした。
【０００８】
さらに、これらを構成する線材の切断作業性を改善するため同じ長さで構成する。これにより、深さのある大きな食器等、いろいろな食器の洗浄が可能になり、さらに、皿等の食器の重なりがなくなり、重なりでの大幅洗浄低下を防止することができる。
【０００９】
【発明の実施の形態】
以下、本発明の一実施例、構成及びその作用、効果について、図１、図３、図５、図６、図７、図８、図９、図１０を引用して詳細に説明する。まず、図８において、本発明の食器収納カゴを配設する卓上食器洗い機１の洗浄、水すすぎ、温水すすぎ、乾燥動作について説明する。
【００１０】
まず、洗浄動作は、電源スイッチを押し、操作パネルのコース設定ボタンを押し、そして、スタートボタンを押すことにより、給水電磁弁（図示せず）に通電し、給水口４６から洗浄槽９内に水を給水して、シーズヒータ４０に通電した状態でポンプモータ３８に通電し、洗浄ポンプ３６内のランナーを回転させて、洗浄槽９の底部に配置されている水溜め部より水を吸い込み、ポンプ吐出し口４７より、圧力水供給配管１０１を介して、２個の回転ノズル４２、Ｖ型噴射ノズル４８に圧力水を供給する。また、上シャワー固定噴射ノズルに圧力水を供給する。
【００１１】
そして、それぞれのノズルの小孔４２から図１の食器収納下カゴ２９、図３の食器収納上カゴ３１内の食器に圧力水を直接噴射することにより、これらに、付着している汚れを剥離、分散させる。
【００１２】
図１の食器収納下カゴ２９は、食器セット後、下レール２８に１００の下カゴスライド脚を滑らせ格納される。また、図３の食器収納上カゴ３１は、ガイドレール３２に、上ガイド３３と下ガイド３４を挿入して、セットされる。洗い時の温水の温度は、６０℃程度まで上げられる。一定時間洗浄が行なわれたならば、シーズヒータ４０の通電を停止して洗浄動作を終了させ、排水ポンプ３５を駆動させ、洗浄槽９内の洗浄水を機外に排出させる。
【００１３】
次に、水すすぎ動作は、前記洗浄動作と同じ動作をシーズヒータ４０をＯＦＦした状態で１〜２分程度、数回繰り返して行なう。温水すすぎ動作時には、また、シーズヒータ４０への通電を行ない、洗浄工程と同じ工程で進む。温水は、８０℃程度まで上げられる。最後に、乾燥動作は、送風装置３７に通電して送風装置３７内のファンを回転させ、ＰＴＣヒータ（図示せず）に風をあて、温風にして送風通路５０を介して送風口５１から洗浄槽９内に送風する。
【００１４】
この温風により、洗浄槽９内に付着している水滴、及び残水、さらには、食器収納下カゴ２９や食器収納上カゴ３１内に収納されている食器に付着している水滴を蒸気に変え、上ドア２３に設けられた排気口を介して機外に排出する。そして、一定時間乾燥動作が行なわれたならば、食器洗い機１の運転が終了する。運転工程時は、下ドア２２と上ドア２３は、ヒンジ２５によって閉じられ、２７のラッチが２６のドアスイッチをＯＮさせ、ドアが完全にしまったことを確認後、運転される。３９は、残菜を捕集する残菜フィルターである。
【００１５】
次に、本発明の食器収納カゴについて説明する。本発明の実施の形態を示す食器収納カゴである食器収納下カゴ２９の斜視図を図１に、大皿セット時の拡大正面図を図６示す。まず、図１と図６をもとに説明する。食器収納下カゴ２９の底部の枠を構成する線材１０８に並行に固定された間隔の線材１０９及び線材１１０が固定されている。その間隔は、普通一般的に使用する小皿の外形が約１２０ｍｍなのでそれが固定出来るように本実施例の場合、内側間隔寸法は約６６ｍｍとしている。それにより、皿の下面部よりの飛出し量は約１０ｍｍとなる。その線材の内側には左右対称形状の線材１１１、線材１１２及び線材１１３、線材１１４の２種類の対を交互に等間隔に配置固定している。この等間隔の寸法は、約２３５ｍｍの大皿の高さ約２５ｍｍに対し２０ｍｍ程度にしている。最大幅は、大皿外径より若干小さい約２３０ｍｍ程度とし、セット時の安定を図っている。
【００１６】
また、弁当箱やグラタン皿のように深さ方向の寸法が大きい食器でも配置固定できるように、線材間隔ひとつおきに形状を変え、深さのある皿等を配置できるスペースを有する構成とした。Ｌｃ寸法を約１５０ｍｍ、Ｌｂ寸法を約１２０ｍｍ、Ｌａ寸法を約６０ｍｍ、角度αを４５度、角度βを３５度として、小皿、中皿、大皿、グラタン皿、カレー用深皿、和食用深皿等食器の種類に対応した収納を可能とした。本実施例の場合は、４個分を配置できる構成となっている。一番端に配置された左右対称形状の線材１１１及び線材１１２は、次に配置された左右対称形状の線材１１３及び線材１１４より長さ方向の寸法を短くすることにより高さ方向の倒れを規制しているので高さ方向が高く、長さ方向が比較的短い食器でも配置固定できるようにした。線材１１３及び線材１１４は、いろいろな皿を支えるため、逆ハの字で立ち上げている。
【００１７】
図５に本実施例の右側面図を示す。線材１０９において、線材１１１及び線材１１３の間隔のほぼ中央部から別部材の線材２００により、線材１１３に固定し、他の部分も同一方向に別部材の線材２００を斜めに固定した。これにより上方から食器が挿入されたとき底部の寸法範囲が中央より片側に限定されるので、皿等の整列ができる。皿の最下点での線材との接触部がすべて同じくなるため、図４に示す如く、皿１０７ａと皿１０７ｂのようなずれによる重なりは起らない。図７は、カレー用深皿１２７とグラタン皿１３７のおさまり状態を示す斜視図である。略箱型空間があるため、深さのある皿もしっかり固定でき、重なりは起らない。
【００１８】
なお、別部材の線材を使用しない場合の他の実施例を図９、図１０に示す。
【００１９】
図９は、並行に固定された間隔の線材１０９及び線材１１０を鋸歯状に成形することにより、線材１１１及び線材１１３を固定しても同様の効果を得られる。図１０は、偶数組に配置された線材１１３及び線材１１４の底部を折り曲げ奇数組の線材との間隙を皿の厚みより若干大き目にすることにより同様に安定して皿を配置固定出来る。なお、左右対称の線材１１１、線材１１２、線材１１３、線材１１４に同じ長さを使用すれば切断時の段取り作業の改善が図ることができる。
【００２０】
本実施例では１個間隔で同一形状を繰返しているが複数種類組合わせて構成することも出来る。これにより、皿の基本配置固定を変更すること無く、食器の自由度を増すことができる。
【００２１】
【発明の効果】
本発明によれば左右対称形状の線材を２種類、すなわち奇数組と偶数組の線材を交互に組合わせることにより略箱型の空間を形成することにより皿の基本配置固定を変更することなく皿以外の箱型形状の食器を多種類容易に配置固定できる。また、皿を配置固定する底部が皿を一方向に整列するように狭くなっているため皿の向きが安定し重なりがなくなるので洗浄水が安定して当たるので洗浄率が向上する。さらに、奇数組と偶数組の線材を同一長さにすることにより切断時の段取り作業の改善が図られる。
【図面の簡単な説明】
【図１】本発明の食器収納下カゴの斜視図である。
【図２】従来の食器収納下カゴの斜視図である。
【図３】食器収納上カゴの斜視図である。
【図４】従来の食器収納カゴにおける食器の重なり見る右側面図である。
【図５】本発明の食器収納下カゴにおける、整列機能を示す右側面図ある。
【図６】本発明の食器収納下カゴにおける、大皿の配置と線材の関係を示す正面図である。
【図７】本発明の食器収納下カゴにおける、深皿セット状態を示す斜視図である。
【図８】本発明の食器収納下カゴを配設する食器洗い機の斜視図である。
【図９】本発明の応用例を示す食器収納下カゴの側面図である。
【図１０】本発明の応用例を示す食器収納下カゴの側面図である。
【符号の説明】
１…食器洗い機，９…洗浄槽，２１…外枠，２２…下ドア，２３…上ドア，２６…ドアスイッチ，２７…ラッチ，２８…下レール，２９…食器収納下カゴ，３０…箸カゴ，３１…食器収納上カゴ，３２…上レール，３３…上ガイド，３４…下ガイド，３５…排水ポンプ，３６…洗浄ポンプ，３７…送風装置，３８…ポンプモータ，３９…残菜フィルター，４０…シーズヒータ，４１…回転ノズル，４２…小孔，４６…給水口，４７…ポンプ吐き出し口，４８…Ｖ型噴射ノズル，５０…送風通路，５１…送風口，１００…下カゴスライド脚，１０９…下部受け線材，１１０…下部受け線材，１１１…線材，１１２…線材，１１３…線材，１１４…線材，１０８…線材，２００…傾斜線材，１２７…カレー用深皿，１３７…グラタン皿。
【図１】
2004216004.tif 000003
【図２】
2004216004.tif 000004
【図３】
2004216004.tif 000005
【図４】
2004216004.tif 000006
【図５】
2004216004.tif 000007
【図６】
2004216004.tif 000008
【図７】
2004216004.tif 000009
【図８】
2004216004.tif 000010
【図９】
2004216004.tif 000011
【図１０】
2004216004.tif 000012